(57)【特許請求の範囲】
【請求項１】
弾性材料層と剛性材料層とが上下方向に交互に積層されてなる積層ゴム体と、
該積層ゴム体を上下方向に貫通する中空部内に、水平方向に摺動可能で上下に複数積層されて封入される摩擦板と、
該積層された摩擦板の最上部及び／又は最下部に配置され、上下方向に圧力を付与し、鉛直方向の変位を吸収する圧力付与手段と、
前記複数の摩擦板の各々の外周部と、前記積層ゴム体の中空部の内周面との間にのみ配される摩擦低減手段とを備え、
該摩擦低減手段は、前記摩擦板の各々の外周端面にのみ、焼付け又は一体的に設けられた摺動部からなることを特徴とする免震装置。
【請求項２】
前記摩擦低減手段の摺動部の、前記弾性材料層又は前記剛性材料層に対する摩擦係数が、前記摩擦板の、前記弾性材料層又は前記剛性材料層に対する摩擦係数より小さいことを特徴とする請求項１に記載の免震装置。
【請求項３】
前記摩擦板の各々の前記外周端面に設けられた摺動部は、潤滑性を有する樹脂もしくは樹脂組成物、又は自己潤滑性ゴムからなることを特徴とする請求項１又は２に記載の免震装置。
【請求項４】
前記摩擦板の外縁部又は前記摩擦低減手段の摺動部の外縁部は、外側に凸の曲面状に形成されることを特徴とする請求項１、２又は３に記載の免震装置。
【請求項５】
弾性材料層と剛性材料層とが上下方向に交互に積層されてなる積層ゴム体と、
該積層ゴム体を上下方向に貫通する中空部内に、水平方向に摺動可能で上下に複数積層されて封入される摩擦板と、
該積層された摩擦板の最上部及び／又は最下部に配置され、上下方向に圧力を付与し、鉛直方向の変位を吸収する圧力付与手段と、
前記複数の摩擦板の各々の外周部と、前記積層ゴム体の中空部の内周面との間にのみ配される摩擦低減手段とを備え、
該摩擦低減手段は、前記積層ゴム体の中空部内周面と前記積層された摩擦板との間に配置された筒状摺動部からなることを特徴とする免震装置。
【請求項６】
前記摩擦低減手段の筒状摺動部の、前記弾性材料層又は前記剛性材料層に対する摩擦係数が、前記摩擦板の、前記弾性材料層又は前記剛性材料層に対する摩擦係数より小さいことを特徴とする請求項５に記載の免震装置。
【請求項７】
前記筒状摺動部は、潤滑性及び可撓性を有する樹脂もしくは樹脂組成物、又は自己潤滑性ゴムからなることを特徴とする請求項５又は６に記載の免震装置。
【請求項８】
前記筒状摺動部の内側に積層された前記摩擦板の各々は、外周端面に焼付け又は一体的に設けられた摺動部を有することを特徴とする請求項５、６又は７に記載の免震装置。
【請求項９】
前記摩擦板の外縁部は、外側に凸の曲面状に形成されることを特徴とする請求項５乃至８のいずれかに記載の免震装置。
【請求項１０】
前記摩擦板は、金属、樹脂、樹脂組成物、繊維強化樹脂もしくは焼結体からなるか、又は、これらの中の２種以上の材料の複合材からなることを特徴とする請求項１乃至９のいずれかに記載の免震装置。
【請求項１１】
前記圧力付与手段は、ゴム状弾性体、皿ばね、板ばね又はコイルばねからなることを特徴とする請求項１乃至１０のいずれかに記載の免震装置。
【発明の詳細な説明】
【技術分野】
【０００１】
本発明は、免震装置に関し、特に、土木橋梁、建築物等の上部構造物と、基礎又は下部構造物との間に設けられ、地震に対する上部構造物の揺れを抑えるようにした免震装置に関する。
【背景技術】
【０００２】
従来、積層ゴム体の上下方向に設けられた中空部に摩擦板を積層した状態で配し、上部構造物の鉛直荷重を支持しつつ、地震等により生じる水平変形時には、該摩擦板間により生じる摩擦力により減衰を得る構成とした免震装置が種々提案されている。【０００３】
例えば、特許文献１には、上下の面板の間に剛性を有した硬質板と、粘弾性的性質を有した軟質板とを、各々複数個交互に積層した複合積層体と、複数個の高分子化合物をコーティングした金属板等の摩擦板を積層した積層体とを並列に挟持する免震構造体が提案されている。【０００４】
また、特許文献２には、上面板と下面板との間に、硬質板としての銅板２０枚、軟質板としてのゴム板２１層を交互に積層し、その積層体部分の中央に設けた中空部に、ガラス繊維強化不飽和ポリエステル樹脂製の摩擦板を４３枚積層したものが封入されてなる免震構造体が開示されている。この免震構造体は、摩擦板の積層体の上に押さえ板として鉄板を配し、中央部に雌ねじを螺設した上蓋を配し、上蓋を１５０ｋｇ−ｃｍのトルクで締め付けて摩擦板積層体に封入力を加え、この封入力を上蓋のトルクにより調整可能としている。【０００５】
さらに、特許文献３には、ゴム等のエラストマー層と中間剛性板とを上下方向に交互に接着、積層してなる可撓性支承体と、鉄合金、銅又はその合金、ポリテトラフルオロエチレン、黒鉛の少なくとも１つからなる複数の摺動板を、互いに摺動可能となるように上下方向に積み重ねた摺動板積層体とを備え、摺動板積層体は、可撓性支承体に取り囲まれるように配置され、これらの両者が共同して荷重を支える構造とし、摺動板積層体の摺動板のいくつかは他の摺動板と摩擦係数の異なる材質からなる免震支承装置が提案されている。【０００６】
これらの発明は、積層された摩擦板の高さが一定であるため、積層ゴム体に生じる経年変化のうち、鉛直方向の変位が徐々に低下するクリープ現象の抑制手段、又は積層ゴム体が水平変形を生じた際の鉛直方向の沈み込み現象を低減する手段として、例えば、戸建住宅用等の軽重量物向きには好適であるが、その反面、免震装置が支持する荷重が大きい場合には、摩擦板又は摩擦板取付部に過大な鉛直荷重が作用し、摩擦特性の変動、摩擦板の破損さらに免震装置自体の破損の虞がある。【０００７】
そこで、積層ゴム体の水平変形時に生じる鉛直方向の沈み込みの挙動に着目し、免震装置が水平変形を生じた場合においても、摩擦板に対して過大な荷重が加わらないように、積層ゴム体の中空部内に積層された摩擦板の上方及び／又は下方に緩衝材を設け、摩擦板への過大な鉛直荷重の載荷を防止する技術が提案されている。【０００８】
例えば、特許文献４には、ゴム板と金属板とを交互に接着するとともに積層面に垂直に貫通孔を設けた積層ゴムと、この積層ゴムの両端面に固着されたフランジと、積層ゴムの孔内に積層された複数枚の摩擦板と、この摩擦板を垂直方向に押圧する予圧を与えた弾発部材とからなる免震装置が提案されている。【０００９】
また、特許文献５には、一対の取付板間に補強板と弾性板とを交互に積層するとともに、これら取付板と弾性板相互、及び弾性板と補強板相互を、各々固着して免震装置主体を構成し、前記免震装置主体に、少なくとも補強板及び弾性板を貫通する振動減衰用の孔を穿設した軽量建造物用免震装置において、この孔内に、低硬度の低弾性部材と、交互に積層された剛性を有する板状体とを設け、低弾性部材の外周部と孔の構成面との間に隙間を設けるとともに、板状体相互間を滑動自在とした軽量建造物用免震装置が提案されている。【００１０】
さらに、特許文献６には、ゴム状弾性層と剛性板層とが上下方向に交互に積層された積層部を上下方向に貫通する貫通孔を備え、該貫通孔内に複数の摩擦板を積層状態で封入した免震装置に対し、摩擦板同士の焼付きや、これに伴う摩擦係数の変動を抑え、安定した免震効果が得られるようにした免震装置が提案されている。【００１１】
【特許文献１】日本特開平８−１０５１２３号公報
【特許文献２】日本特開平９−２９６８４５号公報
【特許文献３】日本国特許第３７１７２８７号公報
【特許文献４】日本特開昭６２−１４１３３０号公報
【特許文献５】日本国特許第２９９０５３２号公報
【特許文献６】日本特開２０００−２８３２２９号公報
【発明の開示】
【発明が解決しようとする課題】
【００１２】
しかし、上記特許文献４乃至６に記載の免震装置等では、積層ゴム体が水平変形を受けた際に生じる鉛直方向の沈み込みにより、摩擦板に過大な鉛直力が作用しないように、摩擦板の最上部及び／又は最下部に緩衝材、例えば、特許文献４では弾発部材を、特許文献５では低弾性部材を、特許文献６では弾性体（皿ばね）を配し、該緩衝材の鉛直方向の変形をもって防止する構造としているが、積層された摩擦板の高さに関しては、摩擦板自体が剛であるため、水平変形してもその高さに変化は生じない。【００１３】
一方、摩擦板を取り囲む積層ゴム体は、上述のように、水平変形を生じると鉛直方向に沈み込みを生じるため、例えば、図５（ａ）に示した免震装置４１の、剛性材料層４２ａと弾性材料層４２ｂからなる積層ゴム体４２において、この積層ゴム体４２の水平変形時における摩擦板４３の端面と積層ゴム体４２の中空部内周面４２ｃとの当接状況は、上下方向に擦れながら水平変形することとなる。【００１４】
その際に、摩擦板４３と積層ゴム体４２の中空部内面４２ｃとの当接部分での摩擦が大きいと、両者が互いに鉛直方向に滑らかに移動することができず、場合によっては、図５（ｂ）に示すように、積層ゴム体４２に用いられている剛性材料層４２ａと摩擦板４３とが引っかかった状態となり、水平変形とともに積層ゴム体４２の内部から大きな摩擦音が生じたり、振動や衝撃が積層ゴム体４２の内部から生じ、免震性能に問題が生じる虞がある。【００１５】
さらに、摩擦板４３又は剛性材料層４２ａの変形や破損の虞や、免震装置４１の耐久性や安全性そのものに支障が生じる虞もあり、比較的発生頻度の多い中小地震の際に免震装置から異音が発生し、免震構造物の使用者や管理者に対して要らぬ不安感を与える虞もある。【００１６】
特に、この現象は、積層ゴム体４２に用いられる弾性材料層４２ｂの１層あたりの厚みが大きい場合に、積層ゴム体４２が水平変形により沈み込む量が大きくなる結果、顕著に現れる虞があり、具体的には、橋梁大型免震装置の設計において、桁の回転吸収能力との関係で弾性材料層４２ｂの１層あたりの厚みを大きくする場合が多く、言い換えると大型の免震装置を使用する長大橋等において特に問題となる。【００１７】
そこで、本発明は、上記従来の免震装置等における問題点に鑑みてなされたものであって、積層ゴム体の水平変形時において、積層ゴム体の中空部内に積層して配置された摩擦板と、積層ゴム体の相対的な高さに変化が生じても、該摩擦板と積層ゴム体の中空部内周面との摺動状況を滑らかに行い得て、その結果、地震時等により免震装置（積層ゴム体）に水平変形が生じても、免震装置（積層ゴム体）の内部から異常音の発生や、振動、衝撃の発生を防止し、耐久性、安全性、さらに居住性に優れた免震装置を提供することを目的とする。
【課題を解決するための手段】
【００１８】
上記目的を達成するため、本発明は、免震装置であって、弾性材料層と剛性材料層とが上下方向に交互に積層されてなる積層ゴム体と、該積層ゴム体を上下方向に貫通する中空部内に、水平方向に摺動可能で上下に複数積層されて封入される摩擦板と、該積層された摩擦板の最上部及び／又は最下部に配置され、上下方向に圧力を付与し、鉛直方向の変位を吸収する圧力付与手段と、前記複数の摩擦板の各々の外周部と、前記積層ゴム体の中空部の内周面との間にのみ配される摩擦低減手段とを備え、該摩擦低減手段は、前記摩擦板の各々の外周端面にのみ、焼付け又は一体的に設けられた摺動部からなることを特徴とする。そして、本発明によれば、地震等によって積層ゴム体が水平方向に変形した際に、摩擦板と積層ゴム体の中空部内周面との相対的な高さに変化が生じても、摩擦低減手段により、摩擦板と、積層ゴム体の中空部内周面との摺動を滑らかにすることができるとともに、摩擦板の最上部及び／又は最下部に圧力付与手段が配置されているため、摩擦板にかかる負荷を低減することができ、異常音の発生や、摩擦板の破損を防止することができる。その結果、免震装置の耐久性のみならず、免震装置の安全性及び住居等の居住性も向上させることが可能となる。また、上記摺動部の材料として、潤滑性を有する樹脂もしくは樹脂組成物、又は自己潤滑性ゴムとすることができる。具体的には、四フッ化エチレン樹脂、充填材入り四フッ化エチレン樹脂、アセタール樹脂、ポリウレタン樹脂、フェノール樹脂、ポリアミド樹脂、ポリエステル系樹脂又は自己潤滑性ゴムを用いることができる。尚、前記摩擦板の各々の外周端部にグリスを塗布し前記摺動部とすることもできる。
【００１９】
前記免震装置において、前記摩擦低減手段の摺動部の、前記弾性材料層又は前記剛性材料層に対する摩擦係数を、前記摩擦板の、前記弾性材料層又は前記剛性材料層に対する摩擦係数より小さくすることができ、前記摩擦板の各々の前記外周端面に設けられた摺動部を、潤滑性を有する樹脂もしくは樹脂組成物、又は自己潤滑性ゴムとすることができる。 また、前記摩擦板の外縁部又は／及び前記摩擦低減手段の摺動部の外縁部を、外側に凸の曲面状に形成することができ、具体的には、Ｒ形状又はＣ面取りとすることができる。これにより、摩擦板と前記弾性材料層又は前記剛性材料層との間の摺動をより滑らかにすることが可能となる。
【００２３】
また、本発明は、免震装置であって、弾性材料層と剛性材料層とが上下方向に交互に積層されてなる積層ゴム体と、該積層ゴム体を上下方向に貫通する中空部内に、水平方向に摺動可能で上下に複数積層されて封入される摩擦板と、該積層された摩擦板の最上部及び／又は最下部に配置され、上下方向に圧力を付与し、鉛直方向の変位を吸収する圧力付与手段と、前記複数の摩擦板の各々の外周部と、前記積層ゴム体の中空部の内周面との間にのみ配される摩擦低減手段とを備え、該摩擦低減手段は、前記積層ゴム体の中空部内周面と前記積層された摩擦板との間に配置された筒状摺動部からなることを特徴とする。そして、本発明によれば、上述のように、地震等によって積層ゴム体が水平方向に変形した際に、摩擦板と積層ゴム体の中空部内周面との相対的な高さに変化が生じても、摩擦低減手段により、摩擦板と、積層ゴム体の中空部内周面との摺動を滑らかにすることができるとともに、摩擦板の最上部及び／又は最下部に圧力付与手段が配置されているため、摩擦板にかかる負荷を低減することができ、異常音の発生や、摩擦板の破損を防止することができる。その結果、免震装置の耐久性のみならず、免震装置の安全性及び住居等の居住性も向上させることが可能となる。また、上記筒状摺動部の材料を、潤滑性及び可撓性を有する樹脂もしくは樹脂組成物、又は自己潤滑性ゴムとすることができる。具体的には、ポリエチレン樹脂、四フッ化エチレン樹脂、又は自己潤滑性ゴムからなるフィルム、シート又はチューブ等を用いることができる。これにより、筒内部に積層し配されている摩擦板の端面と、積層ゴム体の中空部内周面との間の摩擦を低減させ、積層ゴム体の水平変形時において生じる摩擦板と積層ゴム体中空部内周面との鉛直方向の擦れによる不具合を防止することが可能となる。
【００２４】
前記免震装置において、前記摩擦低減手段の筒状摺動部の、前記弾性材料層又は前記剛性材料層に対する摩擦係数を、前記摩擦板の、前記弾性材料層又は前記剛性材料層に対する摩擦係数より小さくすることができる。
【００２５】
前記免震装置において、前記筒状摺動部の内側に積層された前記摩擦板の各々は、外周端面に焼付け又は一体的に設けられた摺動部を有することができる。これにより、摩擦板と前記弾性材料層又は前記剛性材料層との間の摺動をより滑らかにすることができる。また、前記摩擦板の外縁部を、外側に凸の曲面状に形成することができる。具体的には、Ｒ形状又はＣ面取りとすることができる。これにより、摩擦板と前記弾性材料層又は前記剛性材料層との間の摺動をより滑らかにすることが可能となる。
【００２６】
前記免震装置において、前記摩擦板を、安定した摩擦力を得ることができ、かつ、高い摩擦力を得ることができる材料である金属、樹脂、樹脂組成物、繊維強化樹脂もしくは焼結体、又は、これらの中の２種以上の材料の複合材で形成することができる。また、前記圧力付与手段を、ゴム状弾性体、皿ばね、板ばね又はコイルばねとすることができる。これにより、上下方向に圧力を付与し、鉛直方向の変位を吸収することが可能となる。
【発明の効果】
【００２７】
以上のように、本発明によれば、積層ゴム体の上下方向に設けられた中空部に摩擦板を積層した状態で配置して、上部構造物の鉛直荷重を支持しつつ、地震等により生じる水平変形時には、該摩擦板間により生じる摩擦力により減衰を得る構成とした免震装置において、積層ゴム体の水平変形時において、積層ゴム体の中空部内に積層して配置された摩擦板と、積層ゴム体の相対的な高さに変化が生じても、該摩擦板と積層ゴム体の中空部内周面との摺動を滑らかに行うことができ、地震時等により免震装置に水平変形が生じても、免震装置の内部から異常音の発生や振動、衝撃の発生を防止し、耐久性、安全性、居住性に優れた免震装置を提供することができる。
【発明を実施するための最良の形態】
【００２８】
次に、本発明の実施の形態について、図面を参照しながら説明する。【００２９】
図１は、本発明にかかる免震装置の第１の実施の形態を示し、この免震装置１は、大別して、弾性材料層２ｂと剛性材料層２ｃとが積層された積層ゴム体２と、積層ゴム体２の上下方向に貫通する中空部２ａ内に、水平方向に摺動可能で上下に複数積層されて封入される摩擦板３と、積層された摩擦板３の最上部及び最下部に配置され、上下方向に圧力を付与し、鉛直方向の変位を吸収する圧力付与手段４と、複数の摩擦板３の各々の外周部と積層ゴム体２の内周面との間に配置される摩擦低減手段５とで構成される。【００３０】
積層ゴム体２は、構造物等を安定した状態で支持するとともに、地震等における水平方向の振動を和らげ、構造物の揺れを長周期化するために備えられ、ゴムからなる弾性材料層２ｂと、鉄板からなる剛性材料層２ｃが上下方向に交互に積層され、全体的に円柱状に構成される。この積層ゴム体２の中心部には中空部２ａが穿設され、上述のように、中空部２ａの内部に複数の摩擦板３が積層される。【００３１】
摩擦板３は、地震等によって発生する水平方向の振動を、上下方向に隣接する摩擦板３間に発生する摩擦力によって低減するために備えられ、積層ゴム体２の中空部２ａの内部に複数積層される。この摩擦板３は、安定した摩擦力を得ることができ、かつ、高い摩擦力を得ることができる材料を用いることが好ましく、金属、樹脂、樹脂組成物、繊維強化樹脂もしくは焼結体で構成することができ、また、これらの材料の２種以上によって形成した複合材、例えば、金属薄板と、焼結層と、樹脂組成物層からなるような複層摺動板を用いたり、前記各板材を交互に積層したものを用いることができる。さらに、各種ブレーキ用摩擦板を用いてもよい。【００３２】
圧力付与手段４Ａ、４Ｂは、積層ゴム体２の鉛直方向の変位を吸収し、かつ摩擦板３に圧力を付与するため、各々、摩擦板３の最上部と上剪断キー６Ａとの間、摩擦板３と下剪断キー６Ｂとの間に介装される。この圧力付与手段４（４Ａ、４Ｂ）は、過大な荷重が摩擦板３に作用しないように力を伝達しながら鉛直方向に変位吸収能力があればよく、ゴム状弾性体、皿ばね、板ばね又はコイルスプリングを用いることができる。尚、本実施の形態においては、摩擦板３の最上部と最下部の両方に圧力付与手段４を配置したが、摩擦板３の最上部又は最下部のいずれか一方に配置するように構成することもできる。【００３３】
摩擦低減手段５は、図２（ａ）、（ｂ）に示すように、各々の摩擦板３の外周部に、矩形状断面を有するリング状に一体的に固着装着され、この摩擦板３の外周部と、図１に示した積層ゴム体２の中空部２ａの内周面２ｄとの摺動を滑らかにし、両者間の摩擦を低減するために備えられる。【００３４】
この摩擦低減手段５は、潤滑性を有する樹脂もしくは樹脂組成物、又は自己潤滑性ゴムとすることができる。図２（ａ）、（ｂ）に示した形状の他、図２（ｃ）に示すように、断面が円形のリング状としてもよく、図２（ｄ）に示すように、摩擦板３との当接部に突出部５ａを備え、摩擦板３との結合がより強くなるように構成することもできる。また、図２（ｅ）に示すように、外周部を肉厚に形成した円板状の摩擦低減手段５を上下方向から２枚の摩擦板３（３Ａ、３Ｂ）で挟持するような構成とすることもできる。さらに、摩擦低減手段５を摩擦板３の各々の外周端面に一体的に固着又は装着するのではなく、摩擦板３の各々の外周端面に焼付けることもできる。また、摩擦板３の各々の外周端部にグリスを塗布し、摩擦低減手段の摺動部とすることもできる。【００３５】
図１の上フランジプレート７Ａ及び下フランジプレート７Ｂは、各々、摩擦板３及び圧力付与手段４を中空部２ａに収容した積層ゴム体２の上連結鋼板８Ａ及び下連結鋼板８Ｂと、上剪断キー６Ａ、下剪断キー６Ｂ、及び取付ボルト９Ａ、９Ｂを介して接合される。上フランジプレート７Ａは、例えば、橋梁の上部工等に、下フランジプレート７Ｂは下部工等に連結される。【００３６】
次に、上記構成を有する免震装置１の動作について、図面を参照しながら説明する。【００３７】
図１において、通常の状態では、積層ゴム体２は、上フランジプレート７Ａに一体となった構造物等を安定した状態で支持している。地震等により免震装置１に外力が作用すると、積層ゴム体２は、水平方向の振動を緩和し、構造物等の揺れを長周期化させる。一方、上下方向に隣接する摩擦板３間に発生する摩擦力によって水平方向の振動を低減する。これによって、構造物等への地震等によるエネルギを吸収し、構造物等の損傷、破壊を回避する。【００３８】
この際、積層ゴム体２が水平変形を生じた際に鉛直方向に沈み込み、積層ゴム体２の中空部内周面２ｄと摩擦板３との相対的な高さに変化が生じ、中空部内周面２ｄと摩擦板３の端部とが互いに摺動することとなるが、摩擦低減手段５が、中空部内周面２ｄと摩擦板３との間に発生する摩擦を軽減し、両者間の不要な引っ掛かりや、高い摩擦による応力の集中、及び摩擦板３の変形追従性に支障が出ることを防止することができる。【００３９】
また、積層ゴム体２の水平変形時に生じる鉛直方向の沈み込みによって、摩擦板３に対して過大な荷重が付加されようとするが、摩擦板３の最上部及び最下部に固着された圧力付与手段４によって摩擦板３への過大な鉛直荷重載荷を防止することができる。【００４０】
以上のように、本発明にかかる免震装置１によれば、従来の免震装置において発生する虞がある異常音や、摩擦板の破損を防止することができ、その結果、免震装置の耐久性のみならず、免震装置の安全性及び住居等の居住性も向上させることが可能となる。【００４１】
次に、本発明にかかる免震装置の第２実施の形態について、図面を参照しながら説明する。【００４２】
図３に示すように、この免震装置２１は、大別して、弾性材料層２ｂと剛性材料層２ｃとが積層された積層ゴム体２と、積層ゴム体２の上下方向に貫通する中空部２ａ内に、水平方向に摺動可能で上下に複数積層されて封入される摩擦板３と、積層された摩擦板３の最上部及び最下部に配置され、上下方向に圧力を付与する圧力付与手段４と、積層ゴム体２の中空部２ａの内周面２ｄと積層された摩擦板３との間に配置された筒状の摩擦低減手段２５とで構成される。【００４３】
この免震装置２１の特徴部分は、摩擦低減手段２５であって、第１の実施の形態における免震装置１の摩擦低減手段５に代えて配置されている。尚、摩擦低減手段２５以外の構成要素は、図１に示した免震装置１と同様であるため、同一の構成要素については、同一の参照番号を付して詳細説明を省略する。【００４４】
摩擦低減手段２５は、内部に積層されている摩擦板３の各々の端面と、積層ゴム体２の中空部２ａの内周面２ｄとの間の摩擦を低減させ、積層ゴム体２の水平変形時において生じる摩擦板３の端部と中空部内周面２ｄとの鉛直方向の擦れによる不具合を防止するために備えられ、図４に示すように、円筒状に構成されるとともに、内部に摩擦板３が多数積層される。【００４５】
この摩擦低減手段２５には、潤滑性及び可撓性を有する材料を用い、例えば、ポリエチレン樹脂、四フッ化エチレン樹脂、又は自己潤滑性ゴムからなるフィルム、シート又はチューブ等を用いることができる。また、本実施の形態においても、摩擦板３の外周部分の形状をＲ形状、又はＣ面取りして摩擦板３と摩擦低減手段２５との間の摺動を滑らかに行うことが好ましい。【００４６】
次に、上記構成を有する免震装置２１の動作について、図３を参照しながら説明する。【００４７】
通常の状態では、積層ゴム体２は、上フランジプレート７Ａに一体となった構造物等を安定した状態で支持している。そして、地震等により免震装置２１に外力が作用すると、積層ゴム体２は、水平方向の振動を緩和し、構造物等の揺れを長周期化させる。一方、上下方向に隣接する摩擦板３間に発生する摩擦力によって水平方向の振動を低減する。これによって、構造物等への地震等によるエネルギを吸収し、構造物等の損傷、破壊を回避する。【００４８】
この際、積層ゴム体２が水平変形を生じた際に鉛直方向に沈み込み、積層ゴム体２の中空部内周面２ｄと摩擦板３との相対的な高さに変化が生じるが、両者間には筒状の摩擦低減手段２５が存在するため、積層ゴム体２の中空部内周面２ｄと摩擦板３とは直接接触することがなく、摩擦低減手段２５と中空部内周面２ｄ及び摩擦板３との摺動状態となり、中空部内周面２ｄと摩擦板３との間の不要な引っ掛かりや、高い摩擦による応力の集中、及び摩擦板３の変形追従性に支障が出ることを防止することができる。【００４９】
また、積層ゴム体２の水平変形時に生じる鉛直方向の沈み込みによって、摩擦板３に対して過大な荷重が付加されようとするが、摩擦板３の最上部及び最下部に固着された圧力付与手段４によって摩擦板３への過大な鉛直荷重載荷を防止することができる。【００５０】
以上のように、本発明にかかる免震装置２１によっても、従来の免震装置において発生する虞がある異常音や、摩擦板の破損を防止することができ、その結果、免震装置の耐久性のみならず、免震装置の安全性及び住居等の居住性も向上させることが可能となる。【００５１】
尚、上記実施の形態においては、積層ゴム体２の弾性材料層２ｂの１層あたりの厚みが比較的大きい土木橋梁等に用いる免震装置１、免震装置２１を例にとって説明したが、積層ゴム体２の弾性材料層２ｂの１層あたりの厚みが比較的薄い建築物に用いる免震装置についても、同様に本発明を適用することができる。
【図面の簡単な説明】
【００５２】
【図１】本発明にかかる免震装置の第１の実施の形態の全体構成を示す断面図である。
【図２】図１の免震装置の摩擦板の外周面に設けられたリング状の摩擦低減手段を示す図であって、（ａ）は平面図、（ｂ）は断面図、（ｃ）、（ｄ）、（ｅ）は他の例を示す断面図である。
【図３】本発明にかかる免震装置の第２の実施の形態の全体構成を示す断面図である。
【図４】図３の免震装置の筒状の摩擦低減手段と摩擦板との関係を示す斜視図である。
【図５】従来の免震装置における地震発生時の動作説明図である。
【符号の説明】
【００５３】
１  免震装置
２  積層ゴム体
２ａ  中空部
２ｂ  弾性材料層
２ｃ  剛性材料層
２ｄ  内周面
３（３Ａ、３Ｂ）  摩擦板
４（４Ａ、４Ｂ）  圧力付与手段
５  摩擦低減手段
５ａ  突出部
６Ａ  上剪断キー
６Ｂ  下剪断キー
７Ａ  上フランジプレート
７Ｂ  下フランジプレート
８Ａ  上連結鋼板
８Ｂ  下連結鋼板
９Ａ  取付ボルト
９Ｂ  取付ボルト
２１  免震装置
２５  摩擦低減手段
【図１】
0005172672.tif 000002
【図２】
0005172672.tif 000003
【図３】
0005172672.tif 000004
【図４】
0005172672.tif 000005
【図５】
0005172672.tif 000006